(57)【要約】  表示装置及び表示装置の制御方法が開示され、この表示装置は表示パネルと複数の超音波部材とを含み、前記複数の超音波部材は同一の層に設置され、複数の超音波部材の中のいずれかの超音波部材は圧電層と２つの電極とを含み、２つの電極は圧電層の両側にそれぞれ設置される。同一の層に位置する超音波部材を設置しつつ、超音波部材により超音波の発射及び超音波の受信を行うことで、超音波受信部材と超音波発生部材とを別々に設置する必要がなく、関連技術における表示パネルの厚さが比較的大きいという問題を解決し、表示パネルの厚さを減少させる効果をはたす。
2020504341.tif 000002
【特許請求の範囲】
【請求項１】
表示パネルと複数の超音波部材とを含み、前記複数の超音波部材は同一の層に設置され、
前記複数の超音波部材の中のいずれかの超音波部材は、圧電層と２つの電極とを含み、
前記２つの電極は前記圧電層の両側にそれぞれ設置されることを特徴とする表示装置。
【請求項２】
前記複数の超音波部材は、前記表示パネルの光出射側又は前記表示パネルの前記光出射側とは反対側に設置されることを特徴とする請求項１に記載の表示装置。
【請求項３】
前記複数の超音波部材は前記表示パネルの中に設置されることを特徴とする請求項１に記載の表示装置。
【請求項４】
前記超音波部材の各々は２つの電極の配線をさらに含み、前記２つの電極の配線はそれぞれ前記２つの電極に一対一対応して接続されることを特徴とする請求項３に記載の表示装置。
【請求項５】
前記２つの電極の配線における少なくとも１つの電極の配線と前記表示パネルにおける表示構造は一体化した構造であり、前記表示構造は前記表示パネルにおける表示機能を実現するための電極又は配線を含むことを特徴とする請求項４に記載の表示装置。
【請求項６】
前記表示パネルは有機発光ダイオードＯＬＥＤ表示パネルであり、前記ＯＬＥＤ表示パネルは発光ユニットを含み、前記発光ユニットは電界発光ＥＬ層と前記電界発光ＥＬ層の両端に設置された第１の極及び第２の極とを含み、
前記２つの電極の配線における１つの電極の配線と前記第１の極は一体化した構造であることを特徴とする請求項５に記載の表示装置。
【請求項７】
前記２つの電極の配線におけるもう１つの電極の配線と前記第２の極は一体化した構造であることを特徴とする請求項６に記載の表示装置。
【請求項８】
前記表示パネルにはさらにデータ線が設置され、
前記２つの電極の配線におけるもう１つの電極の配線と前記データ線は一体化した構造であることを特徴とする請求項６に記載の表示装置。
【請求項９】
前記２つの電極の配線における少なくとも１つの電極の配線と前記表示パネルにおける表示構造は同一の層に設置され、前記表示構造は前記表示パネルにおける表示機能を実現するための電極又は配線を含むことを特徴とする請求項３に記載の表示装置。
【請求項１０】
前記超音波部材のいずれかにはさらに発射制御モジュールが接続され、前記発射制御モジュールは発射スイッチと発射電源とを含み、
前記発射電源と前記２つの電極との間には発射導線が接続され、前記発射電源は前記発射導線により前記２つの電極に前記所定の周波数の電圧を印加するために用いられ、
前記発射スイッチは前記発射導線に設置され、前記発射導線の両端のオフ又はオンを制御するために用いられることを特徴とする請求項１から請求項９のうちいずれか１項に記載の表示装置。
【請求項１１】
前記超音波部材のいずれかにはさらに受信制御モジュールが接続され、前記受信制御モジュールは受信スイッチと受信検出器とを含み、
前記受信検出器は受信導線により前記２つの電極に接続され、前記受信検出器は前記受信導線により前記２つの電極における電圧を検出するために用いられ、
前記受信スイッチは前記受信導線に設置され、前記受信導線の両端のオフ又はオンを制御するために用いられることを特徴とする請求項１から請求項９のうちいずれか１項に記載の表示装置。
【請求項１２】
前記表示パネルにおける各表示領域には１つの前記超音波部材が設置され、前記各表示領域は少なくとも１つのサブ画素領域を含むことを特徴とする請求項１から請求項９のうちいずれか１項に記載の表示装置。
【請求項１３】
前記２つの電極の材料はポリエチレンジオキシチオフェンを含むことを特徴とする請求項１から請求項９のうちいずれか１項に記載の表示装置。
【請求項１４】
表示パネルと同一の層に設置された複数の超音波部材とを含み、前記複数の超音波部材の中のいずれかの超音波部材は圧電層と前記圧電層の両側にそれぞれ設置された２つの電極とを含む表示装置の制御方法は、
指紋識別命令を受信した場合、前記超音波部材の各々が超音波の発射と超音波の受信を交互に行うように制御するステップと、
前記超音波部材の各々が超音波の受信を行う時に受信した超音波を取得するステップと、
前記超音波に含まれる指紋情報を識別するステップと、を含むことを特徴とする表示装置の制御方法。
【請求項１５】
前記超音波部材の各々は２つの電極の配線を含み、前記２つの電極の配線はそれぞれ前記２つの電極に接続され、前記２つの電極の配線における少なくとも１つの電極の配線は前記表示パネルにおける表示構造であり、前記表示構造は前記表示パネルにおける表示機能を実現するための電極又は配線を含み、
前記超音波部材の各々が超音波の発射と超音波の受信を交互に行うように制御するステップは、
前記表示装置が表示と指紋識別を交互に行うように制御し、前記表示装置が表示を行う場合、前記表示パネルは画像の表示を行い、前記表示装置が指紋識別を行う場合、前記超音波部材の各々が超音波の発射と超音波の受信を交互に行うステップを含むことを特徴とする請求項１４に記載の表示装置の制御方法。
【発明の詳細な説明】
【技術分野】
【０００１】
本発明は、表示技術分野に関し、特に、表示装置及び表示装置の制御方法に関する。
【背景技術】
【０００２】
現在では、様々な電子機器が指紋識別機能を備える。ますます多くの人々は、指紋識別機能により様々な操作、例えばスクリーンのアンロック及び支払いの確認などを行うことに慣れてきた。
【０００３】
指紋識別機能を備える表示装置は、表示パネルと、表示パネルの中に設置された複数の超音波受信部材と、表示パネルの外側に設置される複数の超音波発生部材とを含む。指紋識別を行う場合、超音波発生部材は超音波を発し、当該超音波は指に接触してから反射され、超音波受信部材は反射された超音波を受信し、表示装置は指の谷（指における凹み部分）と山（指における突出部分）との超音波に対する吸収率の差異により、受信された超音波から谷と山からなる指紋情報を識別する。
【０００４】
指紋識別機能を備える表示装置を実現する過程で、発明者らは、従来技術に少なくとも、表示パネルの内側に超音波受信部材を設置し、外側に超音波発生部材を設置することにより、表示装置全体の厚さを増してしまい、表示パネルの厚さが比較的大きいという問題が存在することを見出した。
【発明の概要】
【発明が解決しようとする課題】
【０００５】
関連技術における表示パネルの厚さが比較的大きいという問題を解決するために、本発明の実施例は表示装置及び表示装置の制御方法を提供する。
【課題を解決するための手段】
【０００６】
本発明の第１の態様によれば、表示装置を提供し、前記表示装置は、
表示パネルと複数の超音波部材とを含み、前記複数の超音波部材は同一の層に設置され、
前記複数の超音波部材の中のいずれかの超音波部材は、圧電層と２つの電極とを含み、前記２つの電極は前記圧電層の両側にそれぞれ設置される。
【０００７】
一実施例において、前記複数の超音波部材は、前記表示パネルの光出射側又は前記光出射側とは反対側に設置される。
【０００８】
一実施例において、前記複数の超音波部材は前記表示パネルの中に設置される。
【０００９】
一実施例において、前記超音波部材の各々は２つの電極の配線をさらに含み、前記２つの電極の配線はそれぞれ前記２つの電極に一対一対応して接続される。
【００１０】
一実施例において、前記２つの電極の配線における少なくとも１つの電極の配線と前記表示パネルにおける表示構造は一体化した構造であり、前記表示構造は前記表示パネルにおける表示機能を実現するための電極又は配線を含む。
【００１１】
一実施例において、前記表示パネルは有機発光ダイオードＯＬＥＤ表示パネルであり、前記ＯＬＥＤ表示パネルは発光ユニットを含み、前記発光ユニットは電界発光ＥＬ層と前記ＥＬ層の両端に設置された第１の極及び第２の極とを含み、
前記２つの電極の配線における１つの電極の配線と前記第１の極は一体化した構造である。
【００１２】
一実施例において、前記２つの電極の配線におけるもう１つの電極の配線と前記第２の極は一体化した構造である。
【００１３】
一実施例において、前記表示パネルにはさらにデータ線が設置され、
前記２つの電極の配線におけるもう１つの電極の配線と前記データ線は一体化した構造である。
【００１４】
一実施例において、前記２つの電極の配線における少なくとも１つの電極の配線と前記表示パネルにおける表示構造は同一の層に設置され、前記表示構造は前記表示パネルにおける表示機能を実現するための電極又は配線を含む。
【００１５】
一実施例において、前記超音波部材のいずれかにはさらに発射制御モジュールが接続され、前記発射制御モジュールは発射スイッチと発射電源とを含み、
前記発射電源と前記２つの電極との間には発射導線が接続され、前記発射電源は前記発射導線により前記２つの電極に前記所定の周波数の電圧を印加するために用いられ、
前記発射スイッチは導線に設置され、前記発射導線の両端のオフ又はオンを制御するために用いられる。
【００１６】
一実施例において、前記超音波部材のいずれかにはさらに受信制御モジュールが接続され、前記受信制御モジュールは受信スイッチと受信検出器とを含み、
前記受信検出器と前記２つの電極との間には受信導線が接続され、前記受信検出器は前記受信導線により前記２つの電極における電圧を検出するために用いられ、
前記受信スイッチは前記受信導線に設置され、前記受信導線の両端のオフ又はオンを制御するために用いられる。
【００１７】
一実施例において、前記表示パネルにおける各表示領域には１つの前記超音波部材が設置され、前記各表示領域は少なくとも１つのサブ画素領域を含む。
【００１８】
一実施例において、前記２つの電極の材料は、ポリエチレンジオキシチオフェンＰＥＤＯＴを含む。
【００１９】
本発明の第２の態様によれば、表示装置に用いられる表示装置の制御方法を提供し、前記表示装置は、表示パネルと複数の超音波部材とを含み、前記複数の超音波部材は同一の層に設置され、前記複数の超音波部材の中のいずれかの超音波部材は圧電層と前記圧電層の両側にそれぞれ設置された２つの電極とを含み、前記方法は、
指紋識別命令を受信した場合、前記超音波部材の各々が超音波の発射と超音波の受信を交互に行うように制御するステップと、
前記超音波部材の各々が超音波の受信を行う時に受信した超音波を取得するステップと、
前記超音波に含まれる指紋情報を識別するステップと、を含む。
【００２０】
一実施例において、前記超音波部材の各々は２つの電極の配線を含み、前記２つの電極の配線はそれぞれ前記２つの電極に接続され、前記２つの電極の配線における少なくとも１つの電極の配線は前記表示パネルにおける表示構造であり、前記表示構造は前記表示パネルにおける表示機能を実現するための電極又は配線を含み、
前記超音波部材の各々が超音波の発射と超音波の受信を交互に行うように制御するステップは、
前記表示装置が表示と指紋識別を交互に行うように制御し、前記表示装置が表示を行う場合、前記表示パネルは画像の表示を行い、前記表示装置が指紋識別を行う場合、前記超音波部材の各々が超音波の発射と超音波の受信を交互に行うステップを含む。
【発明の効果】
【００２１】
同一の層に位置する超音波部材を設置しつつ、超音波部材により超音波の発射及び超音波の受信を行うことで、超音波受信部材と超音波発生部材とを別々に設置する必要がなく、関連技術における表示パネルの厚さが比較的大きいという問題を解決し、表示パネルの厚さを減少させる効果をはたす。
【００２２】
以下、本発明の実施例に係る技術案をさらに明確に説明するために、実施例の記載に使用する必要がある図面に対して簡単に紹介する。なお、以下の記載における図面はただ本発明の一部の実施例に過ぎず、当業者の場合、創造的な労働を付与しない前提で、これらの図面によって他の図面を得ることができる。
【図面の簡単な説明】
【００２３】
【図１】本発明の実施例に係る表示装置の構造の模式図である。
【図２】本発明の実施例に係る他の表示装置の構造の模式図である。
【図３】本発明の実施例に係る他の表示装置の構造の模式図である。
【図４】本発明の実施例に係る他の表示装置の構造の模式図である。
【図５】本発明の実施例に係る他の表示装置の構造の模式図である。
【図６】本発明の実施例に係る表示装置における電極の配線の模式図である。
【図７】本発明の実施例に係る他の表示装置の構造の模式図である。
【図８】本発明の実施例で提供された表示装置の制御方法のフローチャートである。
【図９】図８に示す実施例における超音波の発射のシーケンスチャートである。
【図１０】図８に示す実施例における各超音波部材を制御するフローチャートである。
【図１１】図８に示す実施例における指紋識別の模式図である。
【発明を実施するための形態】
【００２４】
上記の図面を通じて本発明の明確な実施例が示され、以下により詳細に説明する。これらの図面と記述は、いずれも何らかの方法で本発明の構想の範囲を限定するためのものではなく、特定の実施例により当業者に本発明の構想を説明するためのものである。
【００２５】
本発明の目的、技術案、及び利点をより明確にするために、以下、図面を参照しながら、本発明の実施形態についてより詳細に説明する。
【００２６】
図１は本発明の実施例に係る表示装置の構造の模式図である。この表示装置は表示パネル１１と複数の超音波部材１２とを含むことができ、前記複数の超音波部材１２は同一の層に設置される。
【００２７】
複数の超音波部材１２の中のいずれかの超音波部材は圧電層１２１と２つの電極１２２とを含み、２つの電極１２２はそれぞれ圧電層１２１の両側に設置される。
【００２８】
この実施例において、いずれかの超音波部材１２も超音波の発射及び超音波の受信を行うために用いられることができ、いずれかの超音波部材１２も２つの電極１２２を介して圧電層１２１に所定の周波数の電圧を印加することにより超音波を発射し、そして２つの電極１２２を介して圧電層１２１が超音波を受信したことにより発生した電圧を検出することができる。即ち、本発明の実施例で提供された表示装置は指紋識別機能を備える表示装置であり、この表示装置は超音波部材により超音波の発射及び超音波の受信を達成する。
【００２９】
つまり、本発明の実施例で提供された表示装置によれば、同一の層に位置する超音波部材を設置しつつ、超音波部材により超音波の発射及び超音波の受信を行うことで、超音波受信部材と超音波発生部材とを別々に設置する必要がなく、関連技術における表示パネルの厚さが比較的大きいという問題を解決し、表示パネルの厚さを減少させる効果をはたす。
【００３０】
本発明の実施例で提供された他の表示装置の構造の模式図を示す図２を参照し、当該表示装置は、図１に示す表示装置において、より好ましい部品を追加することにより、本発明の実施例で提供される表示装置がより良い性能を有するようにさせる。
【００３１】
複数の超音波部材１２は表示パネル１１に設置される。
【００３２】
一実施例において、超音波部材の各々１２は２つの電極の配線１２３をさらに含み、２つの電極の配線１２３はそれぞれ２つの電極１２２に一対一対応して接続される。
【００３３】
一実施例において、２つの電極の配線１２３における少なくとも１つの電極の配線と表示パネルにおける表示構造は一体化した構造であり、表示構造は表示パネルにおける表示機能を実現するための電極又は配線を含む。例えば、表示構造は薄膜トランジスタ（ＴＦＴ）におけるゲート、ソース又はドレインという電極の配線を含むことができる。電極の配線と表示構造は一体化した構造であるとは、表示パネルにおける既存の表示機能を実現するための電極又は配線を超音波部材における電極の配線としてもよいことを意味する。
【００３４】
一実施例において、表示パネル１１は有機発光ダイオード（ＯＬＥＤ）表示パネルであり、図３に示すように、表示パネルは発光ユニット１１１を含み、発光ユニット１１１は電界発光（ＥＬ）層１１１ａとＥＬ層１１１ａの両端に設置された第１の極１１１ｂ及び第２の極１１１ｃとを含み、２つの電極の配線１２３における１つの電極の配線と第１の極１１１ｂは一体化した構造である。
【００３５】
図３において、２１は基板であり、この基板２１はポリイミド（Ｐｏｌｙｉｍｉｄｅ、ＰＩ）で構成されてもよい。２２は活性層であり、２３はゲートであり、２４はソースであり、２５はドレインであり、２６は２つのゲート絶縁層（ＧＩ）であり、２７は蓄積コンデンサであり、２８は中間誘電体層（ｉｎｔｅｒ−ｌａｙｅｒ  Ｄｉｅｌｅｃｔｒｉｃ、ＩＬＤ）であり、２９は平坦層（Ｐｌａｎａｒｉｚａｔｉｏｎ  Ｌａｙｅｒ）であり、３０は薄膜パッケージ（Ｔｈｉｎ  Ｆｉｌｍ  Ｅｎｃａｐｓｕｌａｔｉｏｎ、ＴＦＥ）であり、３１はシーラント（ｓｅａｌａｎｔ）であり、３２はトップフィルム（Ｔｏｐ  Ｆｉｌｍ）であり、３３は画素定義層（ＰＤＬ）である。図３において、第２の極１１１ｃは陽極であってもよく、第１の極１１１ｂは陰極であってもよい。図３において、２つの電極の配線１２３におけるもう１つの電極の配線は、単独で一次パターニングプロセスにより形成されてもよい。
【００３６】
一実施例において、本発明の実施例で提供された他の表示装置の構造の模式図である図４に示すように、表示パネルにはさらにデータ線３４が設置され、データ線３４は表示パネルが表示を行う時に階調信号を提供するために用いられる。データ線３４はソース２４、ドレイン２５と同一の層に位置してもよい。２つの電極の配線１２３における１つの電極の配線と第１の極１１１ｂは一体化した構造であり、２つの電極の配線１２３におけるもう１つの電極の配線とデータ線３４は一体化した構造である。図４における他の符号の意味は、図３を参照することができ、ここでは詳細な説明を省略する。
【００３７】
一実施例において、本発明の実施例で提供された他の表示装置の構造の模式図である図５に示すように、当該表示装置において、２つの電極の配線１２３における１つの電極の配線と第１の極１１１ｂは一体化した構造であり、２つの電極の配線１２３におけるもう１つの電極の配線と第２の極１１１ｃは一体化した構造である。図５における他の符号の意味は、図２を参照することができ、ここでは詳細な説明を省略する。
【００３８】
図３から図５に示すことは、３種類の超音波部材の電極の配線と表示パネルにおける表示構造が共有する構造の模式図であり、超音波部材的電極の配線は、表示パネルにおける他の表示構造と共有することもでき、本発明の実施例は限定しない。なお、表示パネルが他の種類の表示パネルである場合、超音波部材の電極の配線と表示パネルにおける表示構造は、依然として一体化した構造であってもよい。電極の配線と表示パネルにおける表示構造が一体化した構造である場合、一次パターニングプロセスにより電極の配線及び表示構造を形成でき、こうして電極の配線を形成するパターニングプロセスを減少でき、電極の配線を形成する材料を少なくできるとともに、表示パネルにおけるフィルム層の数を増加させる必要がなく、表示パネルの厚さを低下させる。
【００３９】
一実施例において、本発明の実施例で提供された各表示装置において、超音波部材の２つの電極の材料は、ポリエチレンジオキシチオフェン（３，４−ｅｔｈｙｌｅｎｅｄｉｏｘｙｔｈｉｏｐｈｅｎｅ、ＰＥＤＯＴ）を含む。ＰＥＤＯＴは、透明で弾性を有する材料であり、超音波部材の電極となることができる。
【００４０】
一実施例において、本発明の実施例で提供された各表示装置において、超音波部材の圧電層の材料はチタン酸ジルコン酸塩（ｐｉｅｚｏｅｌｅｃｔｒｉｃ  ｃｅｒａｍｉｃ  ｔｒａｎｓｄｕｃｅｒ、ＰＺＴ）を含むが、これに限定されない。
【００４１】
一実施例において、超音波部材の２つの電極の配線における少なくとも１つの電極の配線と表示パネルにおける表示構造は同一の層に設置される。電極の配線と表示パネルにおける表示構造が同一の層に設置される場合、一次パターニングプロセスにより電極の配線及び表示構造を形成でき、電極の配線を形成するパターニングプロセスを減少できるとともに、表示パネルにおけるフィルム層の数を増加させる必要がなく、表示パネルの厚さを低下させる。
【００４２】
本発明の実施例で提供された表示装置において超音波部材１２及び２つの電極の配線１２３の平面模式図である図６に示すように、各列の超音波部材の一端の電極の配線がともに接続されてもよく、各行の超音波部材の他端の電極の配線もともに接続されてもよいことが分かる。
【００４３】
また、図７に示すように、表示装置において、いずれかの超音波部材１２にはさらに発射制御モジュール４１が接続され、発射制御モジュールは発射スイッチ４１１と発射電源４１２とを含み、発射電源４１２といずれかの超音波部材１２の２つの電極との間には発射導線Ｌ１が接続され、発射電源４１２は発射導線Ｌ１により２つの電極に所定の周波数の電圧を印加するために用いられる。発射スイッチ４１２は発射導線Ｌ１に設置され、発射導線Ｌ１の両端のオフ又はオンを制御するために用いられる。
【００４４】
一実施例において、いずれかの超音波部材１２にはさらに受信制御モジュール４２が接続され、受信制御モジュール４２は受信スイッチ４２１と受信検出器４２２とを含み、受信検出器４２２と超音波部材１２の２つの電極との間には受信導線Ｌ２が接続され、受信検出器４２２は受信導線Ｌ２により２つの電極における電圧を検出するために用いられる。受信スイッチ４２１は受信導線Ｌ２に設置され、受信導線Ｌ２の両端のオフ又はオンを制御するために用いられる。
【００４５】
発射制御モジュール４１と受信制御モジュール４２は表示パネル１１の外部に位置してもよく、或いは、発射制御モジュール４１における発射スイッチ４１１と受信制御モジュール４２における受信スイッチ４２１は表示パネル１１の内部に位置するが、発射制御モジュール４１における発射電源４１２と受信制御モジュール４２における受信検出器４２２は表示パネル１１の外部に位置してもよい。
【００４６】
一実施例において、表示パネル１１における各表示領域には１つの超音波部材１２が設置され、各表示領域は少なくとも１つのサブ画素領域を含む。即ち、表示パネル１１における各サブ画素領域には１つの超音波部材が設置されてもてよく、或いは、表示パネル１１における各画素領域には１つの超音波部材が設置されてもよく、或いは、表示パネル１１における複数の画素領域毎に１つの超音波部材が設置されてもよい。
【００４７】
一実施例において、図１に示すように、複数の超音波部材１２は、さらに表示パネル１１の光出射側又は光出射側とは反対側に設置されてもよい。これにより、指紋識別機能を有しない表示パネルに指紋識別機能を添加することができる。
【００４８】
つまり、本発明の実施例で提供された表示装置によれば、同一の層に位置する超音波部材を設置しつつ、超音波部材により超音波の発射及び超音波の受信を行うことで、超音波受信部材と超音波発生部材とを別々に設置する必要がなく、関連技術における表示パネルの厚さが比較的大きいという問題を解決し、表示パネルの厚さを減少させる効果をはたす。
【００４９】
図８は本発明の実施例で提供された表示装置の制御方法のフローチャートであり、当該表示装置の制御方法は図２から図５に示すいずれかの表示装置に用いられ、当該表示装置は、表示パネルと、表示パネルの中に設置された複数の超音波部材とを含むことができ、複数の超音波部材の中のいずれかの超音波部材は圧電層と圧電層の両側にそれぞれ設置された２つの電極とを含み、当該表示装置の制御方法は下記のステップを含む。
【００５０】
ステップ１０１：指紋識別命令を受信した場合、超音波部材の各々が超音波の発射と超音波の受信を交互に行うように制御する。
【００５１】
表示装置は、指紋識別命令を受信した場合、超音波部材の各々が超音波の発射と超音波の受信を交互に行うように制御することができる。例えば、表示装置における超音波部材が超音波の発射を行うシーケンスチャートを示す図９に示すように、ここで突出している領域は超音波部材が超音波を発射していることを表すが、突出しない領域は超音波部材が超音波を受信していることを表す。これから分かるように、超音波部材が超音波を発射する期間は超音波を受信する期間より少ない。
【００５２】
なお、表示装置における超音波部材の各々は２つの電極の配線を含むことができ、２つの電極の配線はそれぞれ２つの電極に接続され、２つの電極の配線における少なくとも１つの電極の配線は表示パネルにおける表示構造であり、表示構造は表示パネルにおける表示機能を実現するための電極又は配線を含む。この時、図１０に示すように、このステップは下記のステップを含む。
【００５３】
サブステップ１０１１：表示装置が表示と指紋識別を交互に行うように制御し、表示装置が表示を行う場合、表示パネルは画像の表示を行い、表示装置が指紋識別を行う場合、超音波部材の各々が超音波の発射と超音波の受信を交互に行う。
【００５４】
表示パネルにおける表示構造と超音波部材における電極の配線が一体化した構造である場合、指紋検出時に表示パネルによる正常な表示に対する干渉を避けるため、期間を分けて表示と指紋識別を交互に行うことができ、一実施例において、表示装置が表示を行う時間の長さは指紋識別を行う時間の長さよりはるかに大きくてもよく、これにより指紋識別の表示装置による正常な表示への影響をさらに低下させることができる。
【００５５】
なお、表示装置は、複数の超音波部材の中の一部の超音波部材が超音波の発射を行うように制御するとともに、別の一部の超音波部材が超音波の受信を行うように制御することができ、超音波の発射を行う超音波部材と超音波の受信を行う超音波部材は交互に配列されることができる。
【００５６】
ステップ１０２：超音波部材の各々が超音波の受信を行う時に受信した超音波を取得する。
【００５７】
ステップ１０３：超音波に含まれる指紋情報を識別する。
【００５８】
図１１に示すように、指５１の谷５１ｂと表示装置１０との間に隙間が存在するが、山５１ａは表示装置１０と直接的に接触し、谷５１ｂと表示装置１０との間の隙間にある空気と指５１とは、表示装置が発する超音波に対する吸収率が異なるため、山５１ａから返ってくる超音波と谷５１ｂから返ってくる超音波とのエネルギーは異なり、表示装置は、超音波エネルギーの分布を解析することにより指紋情報を取得することができる。
【００５９】
つまり、本発明の実施例で提供された表示装置の制御方法によれば、超音波部材により超音波の発射及び超音波の受信を交互に行うことで、超音波受信部材と超音波発生部材とを別々に設置する必要がなく、関連技術における表示パネルの厚さが比較的大きいという問題を解決し、表示パネルの厚さを減少させる効果をはたす。
【００６０】
当業者は、上記実施例を実現するためのステップの全部又は一部は、ハードウェアにより達成されてもよく、プログラムが関連ハードウェアを指示することにより達成されてもよく、前記プログラムは１種類のコンピュータ読み取り可能な記録媒体に記憶されてもよいことを理解することができる。上述した記録媒体は、読み出し専用メモリ、磁気ディスク又は光ディスクなどであってもよい。
【００６１】
以上は、本発明の好ましい実施例に過ぎず、本発明を限定するために用いられるものではなく、本発明の主旨と原則の範囲内でのすべての修正、同等の置換、改善などは本発明の保護範囲に含まれるべきである。
【符号の説明】
【００６２】
１１−表示パネル、１２−超音波部材、１２１−圧電層、１２２−２つの電極、１２３−２つの電極の配線、１１１−発光ユニット、１１１ａ−ＥＬ層、１１１ｂ−第１の極、１１１ｃ−第２の極、２１−基板、２２−活性層、２３−ゲート、２４−ソース、２５−ドレイン、２６−２つのゲート絶縁層、２７−蓄積コンデンサ、２８−中間誘電体層、２９−平坦層、３０−薄膜パッケージ、３１−シーラント、３２−トップフィルム、３３−画素定義層、３４−データ線、４１−発射制御モジュール、４１１−発射スイッチ、４１２−発射電源、Ｌ１−発射導線、４２−受信制御モジュール、４２１−受信スイッチ、４２２−受信検出器、Ｌ２−受信導線
【図１】
2020504341.tif 000003
【図２】
2020504341.tif 000004
【図３】
2020504341.tif 000005
【図４】
2020504341.tif 000006
【図５】
2020504341.tif 000007
【図６】
2020504341.tif 000008
【図７】
2020504341.tif 000009
【図８】
2020504341.tif 000010
【図９】
2020504341.tif 000011
【図１０】
2020504341.tif 000012
【図１１】
2020504341.tif 000013
【国際調査報告】
2020504341.tif 000014
2020504341.tif 000015
2020504341.tif 000016
2020504341.tif 000017
2020504341.tif 000018
2020504341.tif 000019